(57)【要約】【課題】内ポケットに携帯用電子機器を収納した上衣において、上衣にコード用の通路を設置しコードを容易に通路内に通して配置できるようにする。【解決手段】前身頃上部の衿近辺、あるいは衿近辺の裏地の部分にコードの挿通孔を設け、内ポケットの上部とコードの挿通孔間に筒袋状のコード通路を設置し、コード通路を内ポケットのポケット口部ではポケット口の幅と略同一の幅でコードの挿通孔に向かって狭まるテーパ形状とする。【選択図】  図１
2005213716.tif 000002
【特許請求の範囲】
【請求項１】
上衣の前身頃の裏面に携帯用電子機器の収納用内ポケットを設けると共に、前身頃上部の衿近辺にコードの挿通孔を設け、内ポケットの上部とコードの挿通孔間に筒袋状のコード通路を設置し、該コード通路を内ポケットのポケット口部ではポケット口の幅と略同一の幅でコードの挿通孔に向かって狭まるテーパ形状とし、コード通路を構成する筒袋状布の身頃側がポケット袋の身頃側と連接し、コード通路を構成する筒袋状布の上部が肩部もしくは衿部で身頃布と逢着した上衣
【請求項２】
上衣の前身頃の裏面に携帯用電子機器の収納用内ポケットを設けると共に、衿近辺の裏地の部分にコードの挿通孔を設け、内ポケットの上部とコードの挿通孔間に筒袋状のコード通路を設置し、該コード通路を内ポケットのポケット口部ではポケット口の幅と略同一の幅でコードの挿通孔に向かって狭まるテーパ形状とし、コード通路を構成する筒袋状布の身頃側がポケット袋の身頃側と連接し、コード通路を構成する筒袋状布の上部が衿部で身頃布と逢着した上衣
【発明の詳細な説明】
【技術分野】
【０００１】本発明は内ポケットに携帯用電子機器を収納し、耳に取り付けたイヤホンやヘッドホンで音楽などを聞くことのできる上衣に関するものである。
【背景技術】
【０００２】野外や歩行中にＭＤや録音テープなどにより音楽などを聞く場合、上衣のポケットにＭＤやテープ等再生用の携帯用電子機器を収納し、この携帯用電子機器とイヤホンやヘッドホンをコードで接続する。【０００３】携帯用電子機器とイヤホンやヘッドホンをコードで接続する場合、コードが邪魔になるので、コード用の通路を内蔵した上衣がある（例えば、特許文献１参照）。また、コード用の通路を解放できる配線カバーとした上衣がある（例えば、特許文献２参照）。さらに、内ポケットに携帯用電子機器を収納し、上衣に設けたコード挿通孔からコードを外部に引き出したものもある（例えば、特許文献３参照）。
【特許文献１】実登３０８０５８４号公報
【特許文献２】特開２００１−１５９００７号公報
【特許文献３】実登３０８３４５１号公報
【発明の開示】
【発明が解決しようとする課題】
【０００４】上衣にコード用の通路を内蔵した場合、コードを通路に通して配置するのが難しく、コードを衣服に固定配置すれば洗濯が困難となる。コードの通路を解放できる配線カバーとした場合は専用の締結具が必要となるだけでなく、上衣の構造が複雑となり配線カバー部がごわごわしたものとなり、コード通路の設置場所が限定される。また、内ポケットに携帯用電子機器を収納し、上衣に設けたコード挿通孔からコードを外部に引き出す場合も上衣の内ポケット口から上衣の内部にコードが露出する。本発明は、コードを容易に通路内に通して配置できるコードの通路構造を提供し、さらに内ポケットに収納した携帯用電子機器の荷重を該通路を利用して分散するものである。
【課題を解決するための手段】
【０００５】上衣の前身頃の裏面に携帯用電子機器の収納用内ポケットを設けると共に、前身頃上部の衿近辺、あるいは衿近辺の裏地の部分にコードの挿通孔を設け、内ポケットの上部とコードの挿通孔間に筒袋状のコード通路を設置し、該コード通路を内ポケットのポケット口部ではポケット口の幅と略同一の幅でコードの挿通孔に向かって狭まるテーパ形状とする。コードの挿通孔はコードを外部に引き出せる程度の大きさであり、またコードの挿通孔位置でのコード通路の幅はコードを容易に通せる程度の狭さである。【０００６】内ポケットの上部とコードの挿通孔間に設置したコード通路を、ポケット口部ではポケット口の幅と略同一でコード挿通孔に向かって狭まるテーパ形状にすると共に、コード通路を構成する筒袋状布の身頃側がポケット袋の身頃側と連接する。すなわちコード通路を構成する布の身頃側布の下部はポケット袋の一部となるよう他のポケット袋の布と逢着し、上部は肩部もしくは衿部で身頃布と逢着して、ポケット袋と身頃布の肩部もしくは身頃布の衿部との間を連結する。
【発明の効果】
【０００７】上衣の内ポケットの上部とコードの挿通孔間にコード通路を設置するので、内ポケットに収納した携帯用電子機器に接続したコードは、内ポケットからコード通路内を通って前身頃上部の衿近辺に設置したコードの挿通孔に達して、前身頃の上部から外に引き出す。前身頃の上部は上衣の襟で被覆されるのでコードの挿通孔を貫通したコードは襟の裏面から出てコードの先端に取り付けるイヤホンやヘッドホンと接続する。コードの挿通孔は衿の近辺であるのでコードの露出区間は少なく、コードが上衣の内部に露出することもない。【０００８】また、コードの挿通孔を衿の近くの裏地部に設けた場合は、上衣の身頃部になんら加工する必要がなくコードが身頃部の外面に出ることもない。コードが上衣の内部に露出する部分は衿近辺のみで露出区間は短い。【０００９】コード通路は布による筒袋状で、内ポケットの上部とコードの挿通孔間に設置するが、コード通路はテーパ形状で、コードの挿通孔位置でのコード通路の幅はコードを容易に通せる程度の狭さであるが、コード通路の内ポケットのポケット口上部の通路口ではポケット口の幅と略同一であるので、手を差し込むことが出来、さらに指で挟んだコードはテーパ形状により案内されコードの先端は容易にコードの挿通孔に達する、すなわち手探りで簡単にコードをコード通路に通して配置することができる。【００１０】通常コードの先端にはコネクタが配置され、コネクタによりイヤホンやヘッドホンと接続するので、コードの挿通孔はコネクタが通る程度の大きさとし、その加工は丸穴やボタンホール加工を応用でき、ボタンホール加工や玉縁ホール加工のスリット形状にすればコードの保持効果も得られる。コードの挿通孔位置でのコード通路の幅はコードを容易に通せる程度の狭さで、コード先端のコネクタが容易に通る程度の幅で手や複数の指が通るだけの広さは無いが、数本の指で挟んだコードはテーパ形状により案内されコードの先端は容易にコードの挿通孔に達し、コード先端のコネクタを外部から掴んでコードを引き出せばよい。コードを外部からコードの挿通孔に差し込む場合も、コード通路に手を突っ込んで容易にコードを通路内に引き込むことが出来る。【００１１】内ポケットの上部とコードの挿通孔間に設置したテーパ形状のコード通路は筒袋状布であり、コード通路の筒袋状布の身頃側がポケット袋の身頃側と連接しているので、コード通路を構成する布の身頃側布の下部はポケット袋の一部となり、内ポケットに収納した携帯用電子機器の荷重を受ける。コード通路を構成する布の身頃側布の上部は肩部もしくは衿部で身頃布と逢着しているので、受けた荷重を上衣の肩部もしくは衿部に伝達する。
【発明を実施するための最良の形態】
【００１２】上衣の内ポケットに収納した携帯用電子機器とイヤホンやヘッドホンを接続するコードを衣服の生地の外部に露出することなく衣服着用者の耳の近くまで案内配置するコード通路を設け、該コード通路は内ポケットの上部と上衣の身頃部上部に設置するコードの挿通孔間を結ぶ筒袋状で、内ポケットのポケット口部ではポケット口の幅と略同一の幅でコードの挿通孔に向かって狭まるテーパ形状とする。コードの挿通孔はコードを外部に引き出せる程度の大きさであり、またコードの挿通孔位置でのコード通路の幅もコードを容易に通せる程度の狭さとする。さらにコード通路を構成する筒袋状布の身頃側の下部をポケット袋の身頃側と連接してポケット袋の一部となるようにし、コード通路を構成する筒袋状布の上部はコードの挿通孔の上部に位置する肩部もしくは衿部で身頃布と逢着する。
【実施例１】
【００１３】図１は、本発明の上衣の第１実施例を示す正面図で上衣の内ポケットに携帯用電子機器を収納し、携帯用電子機器とイヤホンをコードで接続した状態を示す。本実施例では上衣１の前身頃の裏面に携帯用電子機器の収納用内ポケット２設けると共に、前身頃上部の衿近辺にコードの挿通孔３を設ける。内ポケット２の上部とコードの挿通孔３間に筒袋状のコード通路４を設置し、該コード通路を内ポケットのポケット口部ではポケット口の幅と略同一の幅でコードの挿通孔に向かって狭まるテーパ形状とし、コードの挿通孔はコードを外部に引き出せる程度の大きさである。５は内ポケットに収納した携帯用電子機器、６は携帯用電子機器とイヤホンを接続するコードで、コードの挿通孔３とイヤホンの間のみ外部に露出する。【００１４】図２は、本発明の上衣の第１実施例を示す正面図で上衣の前身頃を開いた状態を示す。内ポケット２はポケット口７を有し、そのポケット口のすぐ上にコード通路４の通路口８があり、内ポケットに収納した携帯用電子機器からのコードは外部に露出することなくコード通路内に配置できる。コード通路４はコードの挿通孔に向かって狭まるテーパ形状で通路口８ではポケット口７の幅と略同一の幅で、コードの挿通孔位置でのコード通路４の幅はコードを容易に通せる程度の狭さである。コードの挿通孔位置でのコード通路の幅があまり広いとコードの案内機能が阻害されるので、コードを容易に通せる程度の幅でよく３ｃｍ程度の幅が好ましい。【００１５】図３は、本発明の上衣の第１実施例を示す断面図で上衣の内ポケットとコード通路の部分を示す。コード通路はコードの挿通孔３に向かって狭まるテーパ形状で、コード通路を構成する筒袋状布の裏地側９は、ポケット口７のすぐ上で通路口８として開口し、コード通路を構成する筒袋状布の身頃側１０の下部はポケット袋の身頃側と連接してポケット袋の一部となる。１１身頃布、１２は裏地布である。コード通路を構成する筒袋状布の上部はコードの挿通孔３の上部に位置する肩部で身頃布と逢着する。１３は肩布で、肩布と身頃布との逢着部にコード通路を構成する筒袋状布の上部を逢着する。肩布を設けない上衣の場合は、衿部か後身頃との逢着部にコード通路を構成する筒袋状布の上部を逢着するのがよい。
【実施例２】
【００１６】図４は、本発明の上衣の第２実施例を示す正面図で上衣の前身頃を開いた状態で、上衣の内ポケットに携帯用電子機器を収納し、携帯用電子機器とイヤホンをコードで接続した状態を示す。本実施例では上衣１の前身頃の裏面に携帯用電子機器の収納用内ポケット２を設けると共に、衿１４近辺の裏地の部分にコードの挿通孔３を設ける。内ポケット２の上部とコードの挿通孔３間に筒袋状のコード通路４を設置し、該コード通路は内ポケットのポケット口部ではポケット口７の幅と略同一の幅でコードの挿通孔に向かって狭まるテーパ形状とする。ポケット口７のすぐ上に通路口８が位置し、コードの挿通孔３は衿１４のすぐ下の裏地の部分に位置する。コード通路４のコードの挿通孔３位置での幅はコードを容易に通せる程度の狭さである。５は内ポケットに収納した携帯用電子機器、６は携帯用電子機器とイヤホンを接続するコードで、コードの挿通孔３から上衣の内部にコードを引き出しイヤホンと接続する。上衣の外側にコードが露出することは無い。【００１７】図５は、本発明の上衣の第２実施例を示す断面図で上衣の内ポケットとコード通路の部分を示す。コード通路はコードの挿通孔３に向かって狭まるテーパ形状で、コード通路を構成する筒袋状布の裏地側９は、ポケット口７のすぐ上で通路口８として開口し、コード通路を構成する筒袋状布の身頃側１０の下部はポケット袋の身頃側と連接してポケット袋の一部となる。１１は身頃布、１２は裏地布である。コード通路を構成する筒袋状布の上部はコードの挿通孔３の上部に位置する衿部で身頃布と逢着する。１４は衿で、５は内ポケットに収納した携帯用電子機器、６は携帯用電子機器とイヤホンを接続するコードで、コードの挿通孔３から上衣の内部にコードを引き出しイヤホンと接続する。コード通路を構成する筒袋状布の上部を衿部で身頃布と逢着し、内ポケットに収納した携帯用電子機器の荷重を衿部まで伝達する。
【図面の簡単な説明】
【００１８】
【図１】本発明の上衣の第１実施例を示す正面図である。
【図２】本発明の上衣の第１実施例を示す正面図で上衣の前身頃を開いた状態を示す。
【図３】本発明の上衣の第１実施例を示す断面図で上衣の内ポケットとコード通路の部分を示す。
【図４】本発明の上衣の第２実施例を示す正面図で上衣の前身頃を開いた状態を示す。
【図５】本発明の上衣の第２実施例を示す断面図で上衣の内ポケットとコード通路の部分を示す。
【符号の説明】
【００１９】１  上衣
２  内ポケット
３  コードの挿通孔
４  コード通路
５  携帯用電子機器
６  コード
７  ポケット口
８  通路口
９  コード通路を構成する筒袋状布の裏地側
１０  コード通路を構成する筒袋状布の身頃側
１１  身頃布
１２  裏地布
１３  肩布
１４  衿
【図１】
2005213716.tif 000003
【図２】
2005213716.tif 000004
【図３】
2005213716.tif 000005
【図４】
2005213716.tif 000006
【図５】
2005213716.tif 000007